(57)【要約】【課題】宛先リストを用いて通信を開始する通信システムにおいて、宛先リストに登録されていない端末に、宛先リストに登録されている端末と同様に発信を行うことをできるようにする。【解決手段】情報処理端末は、複数の情報処理端末の間で行われる識別情報を用いた通信の宛先を管理する管理システムとネットワークを介して通信可能な情報処理端末であって、管理システムから、情報処理端末の通信の宛先として管理されている宛先識別情報を受信する受信部と、識別情報の入力を受付ける受付部と、受付部が受付けた識別情報が宛先識別情報である場合は、通信の開始を要求する第１の要求情報を管理システムへ送信する第１の送信部と、受付部が受付けた識別情報が宛先識別情報でない場合は、通信の開始を要求する第２の要求情報を管理システムへ送信する第２の送信部と、を備える。【選択図】図６
2018152835.tif 000002
【特許請求の範囲】
【請求項１】
複数の情報処理端末の間で行われる識別情報を用いた通信の宛先を管理する管理システムとネットワークを介して通信可能な情報処理端末であって、
前記管理システムから、前記情報処理端末の通信の宛先として管理されている宛先識別情報を受信する受信部と、
識別情報の入力を受付ける受付部と、
前記受付部が受付けた前記識別情報が前記宛先識別情報である場合は、前記通信の開始を要求する第１の要求情報を前記管理システムへ送信する第１の送信部と、
前記受付部が受付けた前記識別情報が前記宛先識別情報でない場合は、前記通信の開始を要求する第２の要求情報を前記管理システムへ送信する第２の送信部と、
を備えた情報処理端末。
【請求項２】
前記第２の要求情報は、
前記第２の要求情報に含まれる送信先情報が前記宛先識別情報でない識別情報を用いた端末であることを示す送信先情報を含む請求項１に記載の情報処理端末。
【請求項３】
前記第１の要求情報は、
前記第１の要求情報に含まれる送信先情報が前記管理システムであることを示す送信先情報を含む請求項１または２に記載の情報処理端末。
【請求項４】
前記受信部は、前記宛先識別情報を用いた情報処理端末の状態情報を受信し、前記受信した状態情報が要求先の前記情報処理端末が通信できない状態であることを示す場合は、
前記第１の送信部は、
前記第１の要求情報の送信を中止する請求項１から請求項３のいずれか一項に記載の情報処理端末。
【請求項５】
前記受信部は、前記宛先識別情報を用いた情報処理端末の状態情報を受信し、前記受信した状態情報が前記情報処理端末が通信中であることを示す場合は、
前記第１の送信部は、
通信への参加を要求する前記第１の要求情報を、前記管理システムに送信する請求項１から請求項４のいずれか一項に記載の情報処理端末。
【請求項６】
前記受信部は、前記宛先識別情報を用いた情報処理端末の状態情報を受信し、前記受信した状態情報が前記情報処理端末が通信可能な状態であることを示す場合は、
前記第１の送信部は、
前記情報処理端末との通信の開始を要求する前記第１の要求情報を、前記管理システムに送信する請求項１から請求項５のいずれか一項に記載の情報処理端末。
【請求項７】
複数の情報処理端末とネットワークを介して通信可能であり、識別情報を用いた複数の前記情報処理端末の間で行われる通信の要求先を管理する管理システムであって、
前記識別情報毎に、該識別情報を用いた情報処理端末による前記通信の宛先となる宛先識別情報を管理し、
前記宛先識別情報を用いた要求先の情報処理端末との前記通信の開始を要求する第１の要求情報を要求元の情報処理装置から受信し、
前記宛先識別情報として管理していない識別情報を用いた要求先の情報処理端末との前記通信の開始を要求する第２の要求情報を要求元の情報処理端末から受信する受信部と、を備えた管理システム。
【請求項８】
前記受信部が前記第１の要求情報を前記要求元の情報処理端末から受信した場合は、通信の開始要求を示す第１の開始要求情報を前記要求先の情報処理端末へ送信し、
前記受信部が前記第２の要求情報を前記要求元の情報処理端末から受信した場合は、通信の開始要求を示す第２の開始要求情報を前記要求先の情報処理端末へ送信する送信部と、を備え、
前記送信部が前記第２の開始要求情報を前記要求先の情報処理端末へ送信した場合は、
前記受信部は会議開始要求情報を前記要求先の情報処理端末から受信することを特徴とする請求項７に記載の管理システム。
【請求項９】
前記会議開始要求情報は、前記要求元からの通信の開始の要求に対して応答するか否かを示す情報が含まれていることを特徴とする請求項８に記載の管理システム。
【請求項１０】
複数の情報処理端末の間で行われる識別情報を用いた通信の宛先を管理する管理システムと、前記管理システムとネットワークを介して通信可能な情報処理端末とを含む通信システムであって、
前記情報処理端末は、
前記管理システムから、当該情報処理端末の通信の宛先として管理されている宛先識別情報を受信する受信部と、
識別情報の入力を受付ける受付部と、
前記受付部が受付けた前記識別情報が前記宛先識別情報である場合は、前記通信の開始を要求する第１の要求情報を前記管理システムへ送信する第１の送信部と、
前記受付部が受付けた前記識別情報が前記宛先識別情報でない場合は、前記通信の開始を要求する第２の要求情報を前記管理システムへ送信する第２の送信部と、
を備え、
前記管理システムは、
前記識別情報毎に、該識別情報を用いた前記情報処理端末による前記通信の宛先となる宛先識別情報を管理し、
前記宛先識別情報を用いた要求先の情報処理端末との前記通信の開始を要求する前記第１の要求情報を要求元の情報処理装置から受信し、
前記宛先識別情報として管理していない識別情報を用いた要求先の情報処理端末との前記通信の開始を要求する前記第２の要求情報を要求元の情報処理端末から受信する受信部と、
を備えた、通信システム。
【請求項１１】
前記管理システムは、
前記第１の要求情報を受信した場合は、前記第１の要求情報に含まれる情報内容に従って処理を実行し、
前記第２の要求情報を受信した場合は、前記要求先の情報処理端末に前記第２の要求情報を転送する、請求項１０に記載の通信システム。
【請求項１２】
前記管理システムは、
前記通信に参加している複数の情報処理端末の情報を管理するセッション管理部と、
前記通信に参加していない要求元の情報処理端末から、前記通信に参加している要求先の情報処理端末への前記通信の開始を要求する要求情報を受付した場合、前記受付した要求情報を前記通信に参加している前記複数の情報処理端末に通知する情報送信部と、
を有する請求項１０に記載の通信システム。
【請求項１３】
前記セッション管理部は、
前記通信に参加している情報処理端末から、前記要求元の情報処理端末の前記通信への参加を許可する情報を受付した場合、前記要求元の情報処理端末を前記通信に参加させる、請求項１２に記載の通信システム。
【請求項１４】
複数の情報処理端末とネットワークを介して通信可能であり、識別情報を用いた複数の前記情報処理端末の間で行われる通信の要求先を管理するコンピュータに、
前記識別情報毎に、該識別情報を用いた情報処理端末による前記通信の宛先となる宛先識別情報を管理するステップと、
前記宛先識別情報を用いた要求先の情報処理端末との前記通信の開始を要求する第１の要求情報を要求元の情報処理装置から受信するステップと、
前記宛先識別情報として管理していない識別情報を用いた要求先の情報処理端末との前記通信の開始を要求する第２の要求情報を要求元の情報処理端末から受信するステップと、
を実行させるための、プログラム。
【請求項１５】
複数の情報処理端末とネットワークを介して通信可能であり、識別情報を用いた複数の前記情報処理端末の間で行われる通信の要求先を管理する管理システムによる情報処理方法であって、
前記識別情報毎に、該識別情報を用いた情報処理端末による前記通信の宛先となる宛先識別情報を管理するステップと、
前記宛先識別情報を用いた要求先の情報処理端末との前記通信の開始を要求する第１の要求情報を要求元の情報処理装置から受信するステップと、
前記宛先識別情報として管理していない識別情報を用いた要求先の情報処理端末との前記通信の開始を要求する第２の要求情報を要求元の情報処理端末から受信するステップと、
をコンピュータが実行する、情報処理方法。
【発明の詳細な説明】
【技術分野】
【０００１】
本発明は、情報処理端末、管理システム、通信システム、情報処理方法、及びプログラムに関する。
【背景技術】
【０００２】
インターネット等の通信ネットワークを介して遠隔地との間で、遠隔会議を行う会議システムが普及している。
【０００３】
このような遠隔会議システムにおいて、端末に、通信の宛先の候補となる複数の端末の情報を宛先リストとして表示させ、宛先リストから宛先の端末を選択することにより、宛先の端末との通信の開始を容易にする技術が知られている（例えば、特許文献１参照）。
【発明の概要】
【発明が解決しようとする課題】
【０００４】
特許文献１に示される遠隔会議システムのように、宛先リストを用いて通信先の端末と通信を開始する通信システムでは、宛先リストに登録されている登録済の端末と容易に通信を開始することができる。一方、この仕組みでは、宛先リストにされていない未登録の端末と通信を開始する場合、例えば、宛先リストに未登録の端末に発信する前に、未登録の端末を宛先リストに登録する必要がある。
【０００５】
また、このようなシステムにおいて、ＳＩＰ（Session Initiation Protocol）等の別の通信プロトコルを利用して、例えば、端末の識別情報（以下、識別情報と呼ぶ）を用いて、宛先リストに登録されていない未登録の端末に発信することが考えられる。
【０００６】
しかし、このように、別の通信プロトコルを用いて発信が行われると、通信を管理する管理システムが、宛先リストを用いて発信した場合と同様の方法で通信を管理することができない。
【０００７】
このように、従来の技術では、宛先リストを用いて通信を開始する通信システムにおいて、宛先リストに登録されていない端末に、宛先リストに登録されている端末と同様に発信を行うことができないという問題がある。
【０００８】
本発明の実施の形態は、上記問題点に鑑みてなされたものであって、宛先リストを用いて通信を開始する通信システムにおいて、宛先リストに登録されていない端末に、宛先リストに登録されている端末と同様に発信を行うことをできるようにする。
【課題を解決するための手段】
【０００９】
上記課題を解決するため、本発明の一実施形態に係る情報処理端末は、複数の情報処理端末の間で行われる識別情報を用いた通信の宛先を管理する管理システムとネットワークを介して通信可能な情報処理端末であって、前記管理システムから、前記情報処理端末の通信の宛先として管理されている宛先識別情報を受信する受信部と、識別情報の入力を受付ける受付部と、前記受付部が受付けた前記識別情報が前記宛先識別情報である場合は、前記通信の開始を要求する第１の要求情報を前記管理システムへ送信する第１の送信部と、前記受付部が受付けた前記識別情報が前記宛先識別情報でない場合は、前記通信の開始を要求する第２の要求情報を前記管理システムへ送信する第２の送信部と、を備える。
【発明の効果】
【００１０】
本発明の実施の形態によれば、宛先リストを用いて通信を開始する通信システムにおいて、宛先リストに登録されていない端末に、宛先リストに登録されている端末と同様に発信を行うことをできるようになる。
【図面の簡単な説明】
【００１１】
【図１】一実施形態に係る伝送システムの概略図である。
【図２】伝送システムにおける画像データ、音データ及び各種管理情報の送受信の状態を示した概念図である。
【図３】一実施形態に係る端末の一例の外観図である。
【図４】一実施形態に係る端末のハードウェア構成の例を示す図である。
【図５】一実施形態に係る管理システムのハードウェア構成の例を示す図である。
【図６】一実施形態に係る端末、及び管理システムの機能構成図である。
【図７】一実施形態に係る管理システムが管理する情報の例を示す図（１）である。
【図８】一実施形態に係る管理システムが管理する情報の例を示す図（２）である。
【図９】一実施形態に係る準備段階の処理の例を示すシーケンス図である。
【図１０】一実施形態に係る宛先リストの例を示す図である。
【図１１】第１の実施形態に係る端末の発信処理の例を示すフローチャートである。
【図１２】第１の実施形態に係る照会処理の例を示すシーケンス図である。
【図１３】第１の実施形態に係る端末の表示画面の例を示す図（１）である。
【図１４】第１の実施形態に係る端末の表示画面の例を示す図（２）である。
【図１５】第１の実施形態に係る端末が管理システム、及び他の端末に通知する情報の一例である。
【図１６】第１の実施形態に係る管理システムの要求情報の受信処理の例を示すフローチャートである。
【図１７】第１の実施形態に係る通信処理の例を示すシーケンス図（１）である。
【図１８】第１の実施形態に係る通信処理の例を示すシーケンス図（２）である。
【図１９】第１の実施形態に係る通信処理の例を示すシーケンス図（３）である。
【図２０】第２の実施形態に係る端末の発信処理の例を示すフローチャートである。
【図２１】第２の実施形態に係る管理システムの要求情報の受信処理の例を示すフローチャートである。
【図２２】第３の実施形態に係る端末の発信処理の例を示すフローチャート図である。
【図２３】第３の実施形態に係る宛先リストの例を示す図である。
【図２４】第４の実施形態に係る端末の発信処理の例を示すフローチャートである。
【図２５】第４の実施形態に係る管理システムの要求情報の受信処理の例を示す図である。
【図２６】第４の実施形態に係る通信処理の例を示すシーケンス図である。
【図２７】第４の実施形態に係る端末の表示画面の例を示す図である。
【発明を実施するための形態】
【００１２】
以下、本発明における情報処理端末、情報処理方法及びプログラムの実施例を図面に基づいて説明する。
【００１３】
＜システム構成＞
初めに本実施形態に係る伝送システムのシステム構成について説明する。
【００１４】
図１は、一実施形態に係る伝送システムの概略図である。図２は、一実施形態に係る伝送システムにおける画像データ、音データ及び各種管理情報の送受信の状態を示した概念図である。
【００１５】
伝送システムには、伝送管理装置を介して一方の伝送端末から他方の伝送端末に一方向でコンテンツデータを伝送するデータ提供システムが含まれる。また、伝送システムには、伝送管理装置を介して複数の伝送端末間で情報を相互に伝達するコミュニケーションシステム等が含まれる。
【００１６】
このコミュニケーションシステムは、コミュニケーション管理システム（「伝送管理装置」に相当）を介して複数のコミュニケーション端末（「伝送端末」に相当）間で情報を相互に伝達するためのシステムである。コミュニケーションシステムの例としては、例えば、ビデオ会議システム、テレビ電話システム、音声会議システム、音声電話システム、ＰＣ（Personal Computer）画面共有システム等の遠隔会議が挙げられる。
【００１７】
図１に示す伝送システム１は、複数の伝送端末（１０ａａ、１０ａｂ、・・・）、各伝送端末（１０ａａ、１０ａｂ、・・・）用のディスプレイ（１２０ａａ、１２０ａｂ、・・・）、中継装置３０、伝送管理システム５０、及びプログラム提供装置９０等を含む。
【００１８】
複数の伝送端末（１０ａａ、１０ａｂ、・・・）は、伝送端末間で、例えば、映像データ等のコンテンツデータを送受信（伝送）する。映像データには、例えば、動画データ又は静止画データ、音データ等が含まれる。
【００１９】
なお、以下の説明の中で、「伝送管理システム」を単に「管理システム」として表し、「伝送端末」を単に「端末」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表す。さらにまた、通信の開始を要求する要求元としての端末を「要求元端末」と表し、要求先（中継先）としての端末は「要求先端末」と表す。
【００２０】
図２に示されているように、伝送システム（通信システム）１において、要求元端末と要求先端末との間では、管理システム５０を介して、各種の管理情報を送受信するための管理情報用セッションｓｅｉが確立される。また、要求元端末と要求先端末との間では、中継装置３０を介して、例えば、画像データ、及び音声データを送受信するための画像・音データ用セッションｓｅｄ（通信セッション）が確立される。
【００２１】
図１に戻り、伝送システム１のシステム構成の説明を続ける。
【００２２】
端末（情報処理端末）１０は、他の端末との間で、各種情報を送受信する。端末１０は、例えば、他の端末１０との間で通信セッション（画像・音声データ用セッションｓｅｄ）を確立し、確立した通信セッションにおいて、音データ、画像データ等を含むコンテンツデータの送受信による通信を行う。これにより、伝送システム１において、例えば、複数の端末１０間のビデオ会議が実現される。
【００２３】
また、本実施形態に係る伝送システム１において、ビデオ会議を開始する場合、開始を希望するユーザが、所定の端末１０を操作することにより、操作された端末１０は、開始要求情報を管理システム５０に送信する。
【００２４】
ここで、開始要求情報とは、ビデオ会議に用いるセッションの開始を要求する情報であって、セッション相手としての端末１０を指定する情報を含む。
【００２５】
なお、要求先端末は、１つの端末１０であってもよく、２以上の端末１０であっても良い。すなわち、伝送システム１においては、２つの端末１０間だけでなく、３つ以上の端末１０間で確立されたセッションを用いたビデオ会議を実現することができる。
【００２６】
さらに、本実施形態に係る伝送システム１においては、既にセッションが確立され、開始しているビデオ会議に、途中から他のユーザが参加することも可能である。参加を希望するユーザが、所定の端末１０を操作することにより、操作された端末１０は、参加を希望するビデオ会議に用いられている、確立中のセッション（以下、確立中セッションと称する）を指定した、参加要求情報を管理システム５０に送信する。なお、以下の説明の中で、参加要求情報を送信する端末１０を「参加要求端末」と表す。
【００２７】
管理システム５０は、端末１０及び中継装置３０を一元的に管理する情報処理装置、又は複数の情報処理装置を含むシステムである。管理システム５０は、端末１０間での通信セッションを確立させることにより、端末１０間における通信によるビデオ会議を実現する。
【００２８】
管理システム５０は、要求元端末から通信セッションの開始要求情報を受信した場合に、要求元端末と要求先端末の間の通信セッションを確立させ、ビデオ会議を開始させる。管理システム５０は、また、所定の端末１０から既に確立しているセッション（以下、確立中セッションと称する）への参加要求情報を受信した場合に、参加要求端末を、確立中セッションに参加させる。
【００２９】
また、図１に示されている複数のルータ（７０ａ、７０ｂ、７０ｃ、７０ｄ、７０ａｂ、７０ｃｄ）は、コンテンツデータの最適な経路の選択を行う。なお、以下の説明の中で、ルータ（７０ａ、７０ｂ、７０ｃ、７０ｄ、７０ａｂ、７０ｃｄ）のうち任意のルータを示す場合には「ルータ７０」を用いる。
【００３０】
中継装置３０は、管理システム５０からの制御に従って、複数の端末１０の間でコンテンツデータの中継を行う。
【００３１】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００３２】
また、プログラム提供装置９０のＨＤには、中継装置３０に各種機能又は各種手段を実現させるための中継装置用プログラムも記憶されており、中継装置３０に、中継装置用プログラムを送信することができる。
【００３３】
さらに、プログラム提供装置９０のＨＤには、管理システム５０に各種機能又は各種手段を実現させるための伝送管理用プログラムも記憶されており、管理システム５０に、伝送管理用プログラムを送信することができる。
【００３４】
また、端末（１０ａａ、１０ａｂ、１０ａｃ、・・・）、及びルータ７０ａは、ＬＡＮ２ａによって通信可能に接続されている。端末（１０ｂａ、１０ｂｂ、１０ｂｃ、・・・）、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３５】
一方、端末（１０ｃａ、１０ｃｂ、１０ｃｃ、・・・）、及びルータ７０ｃは、ＬＡＮ２ｃによって通信可能に接続されている。端末（１０ｄａ、１０ｄｂ、１０ｄｃ、・・・）、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３６】
また、管理システム５０、プログラム提供装置９０、及び中継装置３０は、インターネット２ｉを介して、端末１０と通信可能に接続されている。管理システム５０、中継装置３０、及びプログラム提供装置９０は、地域Ａ又は地域Ｂに設置されていても良いし、これら以外の地域に設置されていても良い。
【００３７】
なお、図１の例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、伝送ネットワーク２が構築されている。この伝送ネットワーク２には、有線だけでなく無線による通信が行われる箇所があっても良い。
【００３８】
また、図１に示す例において、各端末１０、中継装置３０、管理システム５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００３９】
＜ハードウェア構成＞
次に、本実施形態のハードウェアの構成を説明する。
【００４０】
（端末の外観）
図３は、一実施形態に係る端末の一例の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００４１】
図３に示されているように、端末１０は、筐体１１００、アーム１２００、及びカメラハウジング１３００を備える。このうち、筐体１１００の前側壁面１１１０には、複数の吸気孔によって形成された吸気面が設けられており、筐体１１００の後側壁面１１２０には、複数の排気孔が形成された排気面１１２１が設けられている。
【００４２】
これにより、筐体１１００に内蔵された冷却ファンの駆動によって、吸気面を介して端末１０の前方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００４３】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられている。また、操作パネル１１５０には、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００４４】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００４５】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３では、チルト角θ１が９０度の状態を示している。
【００４６】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００４７】
なお、他の例としては、端末１０は、一般の汎用コンピュータ、タブレット端末、スマートホン等の情報端末であっても良い。端末１０として用いる情報端末に、マイクやカメラが備わっていない場合には、外付けのマイク及びカメラをコンピュータに接続させることとする。これにより、情報端末を、本実施形態に係る端末１０として利用することができる。
【００４８】
また、端末１０として情報端末を用いる場合には、当該情報端末に後述する端末１０の処理を実行するためのアプリケーションをインストールしておくこととする。よって、端末１０は、図３に示す端末と一般の情報端末とを含めて情報処理端末とも称する。
【００４９】
なお、中継装置３０、管理システム５０、プログラム提供装置９０、及びメンテナンスシステム１００は、それぞれ一般のサーバ・コンピュータの外観と同じであるため、外観の説明を省略する。
【００５０】
（端末のハードウェア構成）
図４は、一実施形態に係る端末のハードウェア構成の例を示す図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００５１】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００５２】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００５３】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、伝送ネットワーク２を利用して通信するための通信インタフェースである。
【００５４】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００５５】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００５６】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５７】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００５８】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。
【００５９】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００６０】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００６１】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００６２】
（管理システムのハードウェア構成）
図５は、一実施形態に係る管理システムのハードウェア構成図である。管理システム５０は、一般的なコンピュータのハードウェア構成を有しており、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８等を有する。また、管理システム５０は、ネットワークＩ／Ｆ２０９、キーボード２１１、マウス２１２、ＣＤ−ＲＯＭ（Compact Disc）ドライブ２１４、及びバス２１０等を有する。
【００６３】
ＣＰＵ２０１は、例えば、ＲＯＭ２０２、ＨＤ２０４等に格納されたプログラムやデータを読出し、処理を実行することにより、管理システム５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６４】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６５】
ネットワークＩ／Ｆ２０９は、伝送ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００６６】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６７】
なお、上記の管理システム５０のハードウェア構成はあくまで一例である。例えば、ディスプレイ２０８、キーボード２１１、マウス２１２等は、管理システム５０の外部に外付けされているものであっても良い。
【００６８】
また、上記の管理システム５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、上記の管理システム５０用のプログラムは、ＨＤ２０４に記憶するものであっても良いし、予めＲＯＭ２０２に記憶されたもの等であっても良い。
【００６９】
また、中継装置３０は、上記管理システム５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７０】
さらに、プログラム提供装置９０は、上記管理システム５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７１】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００７２】
＜機能構成＞
図６は、一実施形態に係る端末、及び管理システムの機能構成図である。図６に示すように、端末１０、中継装置３０及び管理システム５０は、伝送ネットワーク２を介して、互いに通信可能に接続されている。なお、図１に示したプログラム提供装置９０は、本実施形態に係る通信に直接関係しないため、図６では図示が省略されている。
【００７３】
《端末の機能構成》
端末１０は、送受信部１１、操作入力受付部１２、通信制御部１３、撮像部１４、音入力部１５、音出力部１６、表示制御部１７、作成部１８、受付部１９、第１の送信部２０、照会部２１、第２の送信部２２、及び記憶・読出部２３等を有する。上記の各部は、例えば、フラッシュメモリ１０４からＲＡＭ１０３上に展開された端末制御プログラムが、ＣＰＵ１０１で実行されることにより実現される機能である。また、端末１０は、ＲＡＭ１０３、フラッシュメモリ１０４等によって構成される記憶部２４を有する。
なお、第１の送信部２０、及び第２の送信部２２の機能は、送受信部１１が有しているものであっても良い。
【００７４】
送受信部１１は、例えば、図４に示されているＣＰＵ１０１で実行されるプログラム、及び図４に示されているネットワークＩ／Ｆ１１１等によって実現され、伝送ネットワーク２を介して他の端末、装置又はシステムと各種データ、情報等の送受信を行う。例えば、送受信部１１は、管理システム５０から、端末１０における通信の要求先の候補となる他の端末１０（以下、候補端末と呼ぶ）の情報、及び候補端末の稼動状態等を表す状態情報を受信する受信部として機能する。
【００７５】
また、本実施形態に係る送受信部１１は、要求先端末とテレビ会議を開始する前から、管理システム５０により、テレビ会議の接続先の候補としての各端末１０の状態を示す各状態情報の受信を開始する。状態情報は、各端末１０がオンラインかオフラインかの稼動状態を表すだけでなく、オンラインで通信可能であるか、オンラインで通信中であるか等の稼動状態を表す。
【００７６】
操作入力受付部１２は、例えば、図４に示されているＣＰＵ１０１で実行されるプログラム、及び図４に示されている操作ボタン１０８、電源スイッチ１０９等によって実現され、利用者による各種入力を受け付ける。例えば、利用者が、図４に示されている電源スイッチ１０９をオンにすると、図６に示されている操作入力受付部１２が電源オンを受け付けて、電源をオンに制御する。また、操作入力受付部１２は、利用者による発信操作等を、例えば、操作ボタン１０８の押下等により受け付ける。
【００７７】
通信制御部１３は、例えば、図４に示されているＣＰＵ１０１で実行されるプログラムによって実現される。通信制御部１３は、例えば、上記電源オンの受付を契機として、送受信部１１から伝送ネットワーク２を介して管理システム５０に、ログインを要求する旨を示すログイン要求情報、及び要求元端末の現時点のＩＰアドレスを自動的に送信する。また、利用者が電源スイッチ１０９をオンの状態からオフにすると、送受信部１１が管理システム５０へ電源をオフする旨の状態情報を送信した後に、操作入力受付部１２が電源をオフにする。これにより、管理システム５０側では、端末１０が電源オンから電源オフになったことを把握することができる。
【００７８】
また、通信制御部１３は、中継装置３０を介して、他の端末１０とコンテンツデータの送受信を行う通信セッションの確立や、切断等の様々な通信制御を行う。
【００７９】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【００８０】
音入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。
【００８１】
音出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。
【００８２】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、端末１０の通信の候補となる候補端末の一覧である宛先リストを、ディスプレイ１２０等の表示部に選択可能に表示させる。
【００８３】
好ましくは、宛先リストには、候補端末を特定する端末情報（例えば、識別情報、端末名等）と、候補端末の稼動状態を示す状態情報等が含まれる。
【００８４】
作成部１８は、例えば、図４に示されているＣＰＵ１０１で実行されるプログラムによって実現され、送受信部１１が受信した候補端末の端末情報及び状態情報を含む候補端末の一覧である宛先リストを作成する。
【００８５】
受付部１９は、図４に示されているＣＰＵ１０１で実行されるプログラムによって実現され、通信の要求先となる要求先端末の端末情報（例えば、要求先端末を識別するための識別情報）による通信の開始操作を受付する。
【００８６】
第１の送信部２０は、図４に示されているＣＰＵ１０１で実行されるプログラムによって実現される。第１の送信部２０は、作成部１８が作成した宛先リストに、受付部１９が受付した要求先端末の端末情報が含まれる場合、要求先端末の状態情報に基づいて、管理システム５０に通信の開始を要求する第１の要求情報を、管理システム５０に送信する。
【００８７】
第１の送信部２０が送信する第１の要求情報には、第１の要求情報の要求先が管理システム５０であることを示す送信先情報（例えば、管理システム５０のＩＰアドレス）が含まれる。
【００８８】
端末１０の稼動状態には、例えば、「オンライン（通信中）」、「オンライン（通信可能）」、及び「オフライン」等の状態がある。稼動状態が「オンライン（通信可能）」とは、端末１０が管理システム５０にログインした状態で、通信（例えばテレビ会議等）を行っていない状態であることを表す。「オンライン（通信中）」とは、端末１０が管理システム５０にログインした状態で、通信を行っている状態であることを表す。稼動状態が「オフライン」とは、端末１０が通信できない状態（例えば、管理システム５０にログインしていない状態）であることを表す。
【００８９】
第１の送信部２０は、例えば、要求先端末の状態が「オンライン（通信可能）」（以下、単に「通信可能」と表す）である場合、要求先端末との通信の開始を要求する開始要求情報を、管理システム５０に送信する。
【００９０】
また、第１の送信部２０は、例えば、要求先端末の状態が「オンライン（通信中）」（以下、単に「通信中」と表す）である場合、要求先端末が通信中の通信（通信セッション）への参加を要求する参加要求情報を、管理システム５０に送信する。
【００９１】
さらに、第１の送信部２０は、例えば、要求先端末の状態が「オフライン」である場合、例えば、管理システム５０への要求情報の送信を中止する。
【００９２】
照会部２１は、図４に示されているＣＰＵ１０１で実行されるプログラムによって実現される。照会部２１は、例えば、作成部１８が作成した宛先リストに、受付部１９が受付した要求先端末の端末情報が含まれない場合、受付した端末情報が管理システム５０で利用可能な端末情報であるかを、管理システム５０に照会する。なお、管理システム５０で利用可能な端末情報とは、例えば、管理システム５０に登録されており、通信が許可された端末情報であることを示す。
【００９３】
第２の送信部２２は、図４に示されているＣＰＵ１０１で実行されるプログラムによって実現される。第２の送信部２２は、作成部１８が作成した宛先リストに、受付部１９が受付した要求先端末の端末情報が含まれない場合、要求先端末に通信の開始を要求する第２の要求情報を、例えば、管理システム５０に送信する。
【００９４】
第２の送信部２２が送信する第２の要求情報には、第２の要求情報の宛先が要求先端末であることを示す宛先情報（例えば、要求先端末の識別情報）が含まれる。
【００９５】
記憶・読出部２３は、図４に示されているＣＰＵ１０１で実行されるプログラム、及び図４に示されているＳＳＤ１０５等によって実現され、記憶部２４に対する各種データの記憶、記憶部２４に記憶された各種データを読出等の処理を行う。
【００９６】
記憶部２４は、例えば、図４のフラッシュメモリ１０４、ＲＡＭ１０３、及び図４のＣＰＵ１０１で実行されるプログラム等によって実現され、例えば、端末１０を識別するための識別情報、パスワード等の情報を記憶する。
【００９７】
また、記憶部２４は、要求先端末とテレビ会議を行う際に受信される画像データ及び音データの受信バッファ等としても用いられる。
【００９８】
《管理システムの機能構成》
管理システム５０は、送受信部５１、認証部５２、端末管理部５３、端末抽出部５４、端末状態取得部５５、宛先リスト管理部５６、セッション管理部５７、情報送信部５８、及び記憶・読出部５９等を有する。これら各部は、ＨＤ２０４からＲＡＭ２０３上に展開された伝送管理用プログラムを、ＣＰＵ２０１が実行することによって実現される機能である。また、管理システム５０は、ＨＤ２０４等により構成される記憶部５０００を有する。なお、情報送信部５８の機能は、送受信部５１が有しているものであっても良い。
【００９９】
ここで、管理システム５０が、記憶部５０００に記憶して管理する情報について説明する。図７、８は、一実施形態に係る管理システムが管理する情報の例を示す図である。
【０１００】
（認証管理テーブル）
図７（ａ）は、認証管理テーブルの一例を示している。記憶部５０００には、例えば、図７（ａ）に示すような認証管理テーブル７０１を含む認証管理ＤＢ５００２が構築されている。認証管理テーブル７０１では、管理システム５０によって管理される各端末１０を識別する識別情報に対して、各パスワードが関連付けられて管理される。例えば、図７（ａ）に示した認証管理テーブル７０１は、識別情報「０１ａａ」に対応するパスワードが「ａａａａ」であることを示している。
【０１０１】
（宛先リスト管理テーブル）
図７（ｂ）は、宛先リスト管理テーブルの一例を示している。記憶部５０００には、例えば、図７（ｂ）に示すような宛先リスト管理テーブル７０２を含む宛先リスト管理ＤＢ５００４が構築されている。宛先リスト管理テーブル７０２では、要求元端末の識別情報である要求元識別情報と、宛先端末の識別情報である宛先識別情報とが対応付けられて管理されている。ここで、要求元端末とはテレビ会議に利用される通信の開始を要求する要求情報の要求元の端末１０である。また、宛先端末とは、要求元端末が要求情報の要求先とすることのできる端末１０であり、要求先の候補として登録されている端末である。
なお、識別情報には、端末を識別するための端末ＩＤやユーザを識別するためのユーザＩＤ等が含まれる。
【０１０２】
例えば、図７（ｂ）の例では、識別情報が「０１ａａ」である端末１０からテレビ会議の開始を要求することのできる要求先端末は、識別情報が「０１ａｂ」、「０１ｂａ」、「０１ｄｂ」、「０１ｄｃ」、「０１ｃａ」、「０１ｃｂ」の端末１０であることが示されている。要求先端末の候補は、例えば、端末１０から管理システム５０に対してなされる要求に応じて、追加又は削除される。
【０１０３】
（端末管理テーブル）
図８（ａ）は、端末管理テーブルの一例を示す図である。記憶部５０００には、例えば、図８（ａ）に示すような端末管理テーブル８０１を含む端末管理ＤＢ５００３が構築されている。
【０１０４】
端末管理テーブル８０１では、各端末１０の識別情報毎に、各端末１０の要求先名（以下、「端末名」と呼ぶ）と、各端末１０の稼動状態と、受信日時と、端末１０のＩＰアドレスとが関連付けられて管理されている。受信日時は、伝送システム１にログインするためのログイン要求情報を管理システム５０が受信した日時である。
【０１０５】
例えば、図８（ａ）に示した端末管理テーブル８０１は、識別情報が「０１ａａ」の端末１０に対して、端末名が「日本  東京事業所  ＡＡ端末」で、稼動状態が「オンライン（通信中）」であることを示している。また、端末管理テーブル８０１は、管理システム５０でログイン要求情報が受信された日時が「２０ｘｘ年１１月１０日の１３時４０分」で、端末１０のＩＰアドレスが「１．２．１．３」であることを表している。
【０１０６】
ここで、端末管理テーブル８０１の識別情報は、端末１０が伝送システム１に登録されるときに、ユニークに割り当てられ、端末名は、管理システム５０の管理者によって登録又は変更される。なお、端末名は、端末１０から管理システム５０に対してなされる要求に応じて、登録又は変更されても良い。
【０１０７】
（セッション管理テーブル）
管理システム５０の記憶部５０００に記憶されたセッション管理ＤＢ５００５には、例えば、図８（ｂ）に示されているようなセッション管理テーブル８０２が含まれる。セッション管理テーブル８０２には、通信セッションの識別情報であるセッションＩＤ毎に、中継装置３０を識別する識別情報である中継装置ＩＤ、要求元識別情報、要求先識別情報、及び参加識別情報等の情報が記憶されている。
【０１０８】
なお、要求元識別情報は、テレビ会議等の通信セッションの開始を要求する要求元端末の識別情報であり、要求先識別情報は、要求先端末の識別情報である。また、参加識別情報は、開催中のテレビ会議等の通信セッション（確立中セッション）に参加を要求する１つ以上の参加要求端末の識別情報である。
【０１０９】
例えば、図８（ｂ）に示されているセッション管理テーブル８０２において、セッションＩＤ「ｓｅ１」のセッションには、識別情報「０１ａａ」の端末、識別情報「０１ｄｂ」の端末、及び識別情報「０１ｄｃ」の端末が参加していることが示されている。
【０１１０】
ここで、図６に戻り、管理システム５０の機能構成の説明を続ける。
【０１１１】
送受信部５１は、例えば、図５のネットワークＩ／Ｆ２０９、及び図５のＣＰＵ２０１で実行されるプログラム等によって実現され、伝送ネットワーク２を介して他の端末１０又は装置と各種データや情報の送受信を行う。
【０１１２】
送受信部５１は、端末１０に対して、端末１０における通信の要求先の候補となる候補端末の端末情報、及び候補端末の稼動状態等を表す状態情報を送信する。また、送受信部５１は、候補端末の稼動状態が変更された場合には、その都度、最新の状態情報を端末１０に送信する。
【０１１３】
認証部５２は、例えば、図５のＣＰＵ２０１で実行されるプログラムによって実現される。認証部５２は、送受信部５１を介して受信されたログイン要求情報に含まれている識別情報及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている識別情報及びパスワードが管理されているかを判断することによって端末１０の認証を行う。
【０１１４】
端末管理部５３は、例えば、図５のＣＰＵ２０１で実行されるプログラムによって実現される。端末管理部５３は、管理システム５０にログインしている端末１０の稼動状態を管理する。端末管理部５３は、例えば、要求元端末の識別情報に対して、稼動状態、管理システム５０でログイン要求情報が受信された受信日時及びＩＰアドレスを関連付けて端末管理ＤＢ５００３に含まれる端末管理テーブル８０１に記憶して、管理する。例えば、利用者が端末１０の電源スイッチ１０９の状態をオンからオフにする。このとき、端末管理部５３は、端末１０から送られてきた、電源をオフする旨の状態情報に基づいて、端末管理テーブル８０１における端末１０の稼動状態をオンラインからオフラインに変更する。
【０１１５】
端末抽出部５４は、例えば、図５のＣＰＵ２０１で実行されるプログラムによって実現される。端末抽出部５４は、ログイン要求した要求元端末の識別情報を検索キーとして、宛先リスト管理ＤＢ５００４に含まれる宛先リスト管理テーブル７０２を検索し、要求元端末に対する要求先端末の候補の識別情報を抽出する。
【０１１６】
また、端末抽出部５４は、ログイン要求してきた要求元端末の識別情報を検索キーとして、宛先リスト管理テーブル７０２を検索し、要求元端末の識別情報を要求先端末の候補として登録している他の要求元端末の識別情報も抽出する。
【０１１７】
端末状態取得部５５は、例えば、図５のＣＰＵ２０１で実行されるプログラムによって実現される。端末状態取得部５５は、端末抽出部５４によって抽出された要求先端末の候補の識別情報を検索キーとして、端末管理ＤＢ５００３に含まれる端末管理テーブル８０１を検索し、検出された識別情報毎に稼動状態を読み出す。
【０１１８】
これにより、端末状態取得部５５は、ログイン要求してきた要求元端末に対する要求先端末の候補の稼動状態を取得することができる。また、端末状態取得部５５は、端末抽出部５４によって抽出された識別情報を検索キーとして、端末管理ＤＢ５００３を検索し、ログイン要求してきた要求元端末の稼動状態も取得する。
【０１１９】
宛先リスト管理部５６は、例えば、図５のＣＰＵ２０１で実行されるプログラムによって実現され、宛先リスト管理ＤＢ５００４に記憶された、例えば、図７（ｂ）に示すような宛先リスト管理テーブル７０２を管理する。例えば、宛先リスト管理部５６は、端末１０から受信した宛先リストへの登録要求に応じて、宛先識別情報を登録する。また、宛先リスト管理部５６は、端末１０から受信した宛先リストからの削除要求に応じて、宛先識別情報を削除する。
【０１２０】
セッション管理部５７は、例えば、図５のＣＰＵ２０１で実行されるプログラムによって実現され、伝送システム１において、複数の端末１０の間でコンテンツデータの送受信を行う通信（通信セッション）を管理する。例えば、セッション管理部５７は、通信セッションを開始する際に、通信セッションを識別するための識別情報であるセッションＩＤを生成する。また、セッション管理部５７は、生成したセッションＩＤに対応付けて、通信セッションに参加する端末１０の識別情報、中継装置３０の中継装置ＩＤ等の情報を、セッション管理ＤＢ５００５に含まれるセッション管理テーブル８０２に記憶して、管理する。
【０１２１】
記憶・読出部５９は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１２２】
（中継装置）
中継装置３０は、複数の端末間で開催されるテレビ会議において、端末間で行われるコンテンツデータの送受信を中継する。例えば、中継装置３０は、管理システム５０から通知されるセッションＩＤに基づいて、同じセッションＩＤを有する端末１０を、同じセッションに参加させる。これにより、同じセッションＩＤを有する端末１０間で、中継装置３０を介して、コンテンツデータの送受信を行うことができるようになる。
【０１２３】
＜伝送システムの処理の流れ＞
続いて、伝送システム（通信システム）１による通信方法の処理の流れについて説明する。
【０１２４】
（準備段階の処理）
図９は、一実施形態に係る準備段階の処理の例を示すシーケンス図である。この処理は、伝送システム１において、端末１０ａａが、テレビ会議に参加可能な準備状態になるまでの準備段階の処理の例を示している。
【０１２５】
なお、図９において、例えば、図２で説明した管理情報用セッションｓｅｉを用いて、各情報の送受信が行われるものとする。また、図９において、端末１０ａａの識別情報が「０１ａａ」、端末１０ｂａの識別情報が「０１ｂａ」、端末１０ｄｂの識別情報が「０１ｄｂ」であるものとして、以下の説明を行う。
【０１２６】
ステップＳ２１で、端末１０ａａの利用者が、端末１０ａａの電源スイッチ１０９をオンにすると、操作入力受付部１２が電源オンを受け付けて、端末１０ａａの電源をオンに制御する。
【０１２７】
ステップＳ２２で、通信制御部１３は、電源オンの受付を契機として、端末１０ａａの送受信部１１から伝送ネットワーク２を介して管理システム５０にログインを要求するログイン要求情報を送信する。このログイン要求情報には、ログイン要求元の端末１０ａａを識別するための要求元識別情報及びパスワードが含まれている。この要求元識別情報及びパスワードは、記憶・読出部２３を介して、記憶部２４から読み出される。
【０１２８】
なお、端末１０ａａから送信されたログイン要求情報が管理システム５０に受信されたときには、管理システム５０は、送信側である端末１０ａａのＩＰアドレスを把握することができる。
【０１２９】
ステップＳ２３で、管理システム５０の認証部５２は、送受信部５１を介して受信したログイン要求情報に含まれている識別情報及びパスワードを検索キーとして、端末認証を行う。認証部５２は、記憶部５０００の認証管理ＤＢ５００２に含まれる認証管理テーブル７０１を検索し、認証管理ＤＢ５００２に検索キーと同一の識別情報及びパスワードが管理されているかを判断することによって端末認証を行う。
【０１３０】
ここで、認証部５２によって、検索キーと同一の識別情報及びパスワードが管理されていないと判断された場合、すなわち、正当な利用権限を有する端末１０からのログイン要求でないと判断されたとする。このとき、送受信部５１は、認証部５２によって得られた認証結果を表す認証結果情報をログイン要求してきた端末１０ａａに伝送ネットワーク２を介して送信し、準備段階の動作は終了する。
【０１３１】
一方、認証部５２によって、検索キーと同一の識別情報及びパスワードが管理されていると判断された場合、すなわち、正当な利用権限を有する端末１０からのログイン要求であると判断されたとする。このとき、ステップＳ２４において、端末管理部５３は、端末管理ＤＢ５００３含まれる端末管理テーブル８０１に、端末１０ａａの識別情報、端末１０ａａのＩＰアドレス、稼動状態、受信日時などを関連付けて記憶する。
【０１３２】
これにより、端末管理テーブル８０１は、識別情報「０１ａａ」、端末１０ａａのＩＰアドレス「１．２．１．３」、稼動状態「オンライン（通信中）」、受信日時「２０ｘｘ．１１．１０  １３：４０（年／月／日  時間）」を関連付けて管理することができる。なお、端末管理テーブル８０１には、識別情報、ＩＰアドレスなどが予め関連付けられており、稼動状態、受信日時及び参加者がその都度関連付けられるようにしても良い。
【０１３３】
ステップＳ２５で、管理システム５０の送受信部５１は、認証部５２によって得られた認証結果を表す認証結果情報をログイン要求してきた端末１０ａａに伝送ネットワーク２を介して送信する。
【０１３４】
ステップＳ２６で、管理システム５０の端末抽出部５４は、端末１０ａａの識別情報「０１ａａ」を検索キーとして、宛先リスト管理ＤＢ５００４に含まれる宛先リスト管理テーブル７０２を検索し、端末１０ａａに対する宛先識別情報を抽出する。
【０１３５】
ここでは、端末１０ａａの識別情報「０１ａａ」に対する要求先端末である端末１０ａｂ、１０ｂａ、１０ｄｂ、１０ｄｃ、１０ｃａ、１０ｃｂのそれぞれの識別情報「０１ａｂ」、「０１ｂａ」、「０１ｄｂ」、「０１ｄｃ」、「０１ｃａ」、「０１ｃｂ」が抽出される。
【０１３６】
ステップＳ２７で、管理システム５０の端末状態取得部５５は、端末抽出部５４によって抽出された要求先端末の候補の識別情報「０１ａｂ」、「０１ｂａ」、「０１ｄｂ」、「０１ｄｃ」、「０１ｃａ」、「０１ｃｂ」を検索キーとする。端末状態取得部５５は、検索キーを用いて端末管理ＤＢ５００３に含まれる端末管理テーブル８０１を検索し、端末抽出部５４によって抽出された識別情報毎に稼動状態「オフライン」、「オンライン（通信可能）」、「オンライン（通信中）」を読み出す。これにより、端末１０ａｂ、１０ｂａ、１０ｄｂ、１０ｄｃ、１０ｃａ、１０ｃｂの各稼動状態が取得できる。なお、端末状態取得部５５は、端末管理ＤＢ５００３を監視し、端末の稼動状態が変わる度に、各稼動状態を取得する。
【０１３７】
ステップＳ２８で、管理システム５０の送受信部５１は、伝送ネットワーク２を介して端末１０ａａに要求先状態情報を送信する。この要求先状態情報には、例えば、ステップＳ２７で使用された検索キーとしての識別情報「０１ａｂ」、「０１ｂａ」、「０１ｄｂ」、「０１ｄｃ」、「０１ｃａ」、「０１ｃｂ」、各端末１０の稼動状態を示す状態情報等が含まれる。
【０１３８】
これにより、端末１０ａａは、要求先端末の候補である端末１０ａｂ、１０ｂａ、１０ｄｂ、１０ｄｃ、１０ｃａ、１０ｃｂの現時点のそれぞれの稼動状態「オフライン」、「オンライン（通信可能）」、「オンライン（通信中）」を把握することができる。
【０１３９】
ステップＳ２９で、管理システム５０の端末抽出部５４は、ログイン要求してきた端末１０ａａの識別情報「０１ａａ」を検索キーとする。端末抽出部５４は、検索キーを用いて宛先リスト管理ＤＢ５００４に含まれる宛先リスト管理テーブル７０２を検索し、端末１０ａａの識別情報「０１ａａ」を要求先端末の候補として登録している他の端末の識別情報を抽出する。例えば、図７（ｂ）に示した宛先リスト管理テーブルでは、抽出される識別情報は、「０１ａｂ」、「０１ｂａ」、「０１ｄｂ」である。
【０１４０】
ステップＳ３０で、管理システム５０の端末管理部５３は、ログイン要求してきた端末１０ａａの識別情報「０１ａａ」を検索キーとする。端末管理部５３は、検索キーを用いて端末管理ＤＢ５００３に含まれる端末管理テーブル８０１を検索し、ログイン要求してきた端末１０ａａの稼動状態「オンライン（通信可能）」を取得する。
【０１４１】
ステップＳ３１−１，Ｓ３１−２で、管理システム５０の送受信部５１は、ステップＳ２９で抽出された識別情報のうち、例えば、図８（ａ）に示す端末管理テーブル８０１で、稼動状態がオンラインとなっている識別情報を抽出する。また、送受信部５１は、特定された識別情報に対応する端末１０（例えば、端末１０ｂａ、端末１０ｄｂ）に、要求元端末（端末１０ａａ）の識別情報と、稼動状態「オンライン（通信可能）」とを含む状態情報を送信する。
【０１４２】
なお、端末１０ｂａ、１０ｄｂに状態情報を送信するときには、送受信部５１は、各識別情報「０１ｂａ」、「０１ｄｂ」に基づいて、端末管理テーブル８０１で管理されている各端末のＩＰアドレスを参照する。
【０１４３】
これにより、ログイン要求してきた端末１０ａａを要求先端末として指定して伝送することができる端末１０ｄｂ、１０ｂａに、ログイン要求してきた端末１０ａａの識別情報「０１ａａ」及び稼動状態「オンライン（通信可能）」を伝えることができる。
【０１４４】
上記の処理により、端末１０の作成部１８は、宛先リストの作成に必要な候補端末の情報（識別情報、端末名、稼動状態等）、及び候補端末の稼動状態を示す状態情報等を取得し、取得した情報を用いて宛先リストを作成する。
【０１４５】
端末１０の表示制御部１７は、宛先リストが作成されると、作成された宛先リストを端末１０の表示部（例えばディスプレイ１２０等）に表示させる。このとき、表示部に表示される宛先リストの例を図１０に示す。
【０１４６】
図１０は、一実施形態に係る宛先リストの例を示す図である。図１０の例では、表示部１０００に表示された宛先リスト１００１には、通信の宛先となる要求先端末を選択するための複数の選択ボタン１００２が表示されている。また、各選択ボタン１００２には、状態情報を反映させたアイコン１００２ａ〜１００２ｃ、要求先端末の識別情報１００３、端末名１００４等が含まれる。なお、要求先端末の識別情報１００３及び端末名１００４は、要求先端末の端末情報の一例である。
【０１４７】
アイコンには、例えば、「通信可能」状態であることを示す通信可能アイコン１００２ａ、「通信中」であることを示す通信中アイコン１００２ｂ、及びオフラインで通信できないことを示すオフラインアイコン１００２ｃ等がある。作成部１８は、要求先端末の稼動状態が「オンライン（通信可能）」である場合には、その要求先端末に対し、通信可能アイコン１００２ａを割り当てる。また、作成部１８は、要求先端末の稼動状態が「オンライン（通信中）」である場合には、その要求先端末に対し、通信中アイコン１００２ｂを割り当てる。さらに、作成部１８は、要求先端末の稼動状態が「オフライン」である場合には、この要求先端末に対し、オフラインアイコン１００２ｃを割り当てる。
【０１４８】
また、図１０に示す宛先リスト１００１では、例えば、１番上に表示されている識別情報「０１ｂａ」の端末１０ｂａの選択ボタン１００２にフォーカスがあてられており、端末１０ｂａの選択ボタン１３１１が、太枠（表示要素の一例）で表示されている。
【０１４９】
なお、フォーカスは、例えば、コンピュータ等の操作画面で、表示要素等が選択され、入力可能な状態にあることを示す。本実施形態では、フォーカスをあてるとは、表示制御部１７が表示させる宛先リスト１００１において、通信の要求先として選択されている宛先識別情報を、例えば、太枠、反転表示、カーソル等の表示要素により、判別可能に表示することを示すものとする。従って、端末１０は、利用者による通信の開始を指示する発信操作を受け付けると、宛先リストにおいて、フォーカスがあてられている宛先への発信処理を開始する。なお、フォーカスは、宛先リストにおいて、１つの端末が、通信の要求先として選択されていることを判別できるように表示する方法の一例である。
【０１５０】
［第１の実施形態］
続いて、第１の実施形態に係る端末１０による通信方法の処理の流れについて説明する。端末１０の利用者は、例えば、図１０に示すような宛先リスト１００１から、通信の宛先となる要求先端末を選択し、発信を行うことができる。
【０１５１】
また、従来の技術として、例えば、ＳＩＰ（Session Initiation Protocol）等の通信プロトコルを用いて、要求先端末の端末情報を直接入力することにより、通信を開始する通信方法が考えられる。
【０１５２】
しかし、従来の技術では、宛先リストを用いて通信先の端末１０と通信を開始する伝送システム（通信システム）１において、宛先リストに登録されていない端末１０に、宛先リストに登録されている端末１０と同様に発信を行うことはできなかった。
【０１５３】
本実施形態では、宛先リストを用いて通信先の端末１０と通信を開始する伝送システム１において、宛先リストに登録されていない端末１０に、宛先リストに登録されている端末１０と同様に発信を行う通信方法の例について説明を行う。
【０１５４】
（端末の発信処理）
図１１は、第１の実施形態に係る端末の発信処理の例を示すフローチャートである。
【０１５５】
ステップＳ１１０１において、端末１０の受付部１９は、利用者による所定の操作を受付すると、例えば、図１３（ａ）に示すような識別情報による発信画面１３０２を、ディスプレイ１２０等の表示部１３０１に表示させる。
【０１５６】
図１３（ａ）の例では、端末１０の表示部１３０１に識別情報による発信画面１３０２が表示されている。また、識別情報による発信画面１３０２には、識別情報の入力欄１３０２ａ、識別情報入力用のソフトウェアキーボード１３０２ｂ、「発信」ボタン１３０２ｃ、「キャンセル」ボタン等が含まれる。
【０１５７】
利用者は、ソフトウェアキーボード１３０２ｂを用いて識別情報の入力欄１３０２ａに、通信を行いたい要求先端末の識別情報を入力し、「発信」ボタン１３０２ｃを選択することにより、要求先端末への発信操作を行うことができる。
【０１５８】
図１１のステップＳ１１０２において、端末１０の受付部１９は、例えば、図１３（ａ）に示すような識別情報による発信画面１３０２を用いて、利用者による識別情報を用いた発信操作を受付する。
【０１５９】
ステップＳ１１０３において、端末１０の受付部１９は、ステップＳ１１０２で受付した識別情報（要求先端末の端末情報）が自装置の識別情報であるかを判断する。
【０１６０】
受付した識別情報が自装置の識別情報でないと判断された場合、端末１０は、ステップＳ１１０５以降の処理を実行する。一方、受付した識別情報が自装置の識別情報であると判断された場合、端末１０の受付部１９は、処理をステップＳ１１０４に移行させる。
【０１６１】
ステップＳ１１０４に移行すると、端末１０の表示制御部１７は、例えば、図１３（ｂ）に示すような、受付した識別情報が自端末の識別情報であることを示すダイアログ１３０３を、表示部１３０１に表示させる。
【０１６２】
図１３（ｂ）の例では、ダイアログ１３０３には、受付した識別情報が自端末の識別情報であり、発信できないことを示すメッセージ１３０３ａ等が含まれる。
【０１６３】
この処理により、端末１０は、自装置の識別情報への発信を受付した場合、ステップＳ１１０５以降の処理を省略して、利用者に発信できないことを迅速に通知することができるようになる。
【０１６４】
ステップＳ１１０５に移行すると、端末１０の受付部１９は、受付した識別情報が、宛先識別情報か（又は表示制御部１７が表示部１３０１に表示させている宛先リスト１００１に存在するか（含まれているか））を判断する。
【０１６５】
なお、ステップＳ１１０５においては、端末１０が、受付けた識別情報が宛先識別情報か、又は宛先リスト１００１に存在するか（含まれているか）を判断する場合の例を示しているが、受付けた識別情報を管理システム５０に送信し、受付けた識別情報が宛先識別情報かを管理システム５０が判断することもできる。
【０１６６】
受付した識別情報が宛先識別情報でない場合、端末１０は、処理をステップＳ１１１３に移行させる。一方、受付した識別情報が宛先識別情報である場合、端末１０は、処理をステップＳ１１０６に移行させる。
【０１６７】
本実施形態では、端末１０の第１の送信部２０は、受付した識別情報が宛先識別情報と判断された場合、管理システム５０から送受信部１１が受信した端末の状態情報に基づいて、ステップＳ１１０６〜Ｓ１１１２に示す要求処理１１７０を実行する。
【０１６８】
ステップＳ１１０６において、端末１０の第１の送信部２０は、受付けた宛先識別情報を用いた端末の稼動状態が「オンライン」状態であるか否かを判断する。受付けた宛先識別情報を用いた端末の稼動状態が「オンライン」状態でない場合、第１の送信部２０は、処理をステップＳ１１０７に移行させる。一方、受付けた識別情報を用いた端末の稼動状態が「オンライン」状態である場合、第１の送信部２０は、処理をステップＳ１１０８に移行させる。
【０１６９】
ステップＳ１１０７に移行すると、端末１０の表示制御部１７は、例えば、図１３（ｃ）に示すような、受付けた識別情報を用いた端末がオフラインであることを示すダイアログ（表示画面の一例）１３０４を、表示部１３０１に表示させる。
【０１７０】
図１３（ｃ）の例では、ダイアログ１３０４には、受付した識別情報に対応する端末１０がオフラインであることを示すメッセージ１３０４ａ、及び受付した識別情報に対応する端末１０の情報１３０４ｂ等が含まれる。このダイアログ１３０４により、利用者は、通信を行いたい要求先端末がオフラインであること、及び要求先端末の端末名等を判断することができるようになる。
【０１７１】
図１１のステップＳ１１０８に移行すると、端末１０の第１の送信部２０は、受付した識別情報の候補端末が会議中であるか否かを判断する。例えば、第１の送信部２０は、受付した識別情報の候補端末の稼動状態が「通信中」である場合は会議中であると判断し、「通信可能」である場合は会議中でないと判断する。
【０１７２】
受付した識別情報の候補端末が会議中であると判断された場合、すなわち、稼動状態が「通信中」である場合、第１の送信部２０は、処理をステップＳ１１０９に移行させる。一方、受付した識別情報の候補端末が会議中でないと判断された場合、すなわち、稼動状態が「通信可能」である場合、第１の送信部２０は、処理をステップＳ１１１１に移行させる。
【０１７３】
ステップＳ１１０９に移行すると、端末１０の第１の送信部２０は、受付した宛先識別情報を用いた要求先端末が会議中の会議（通信セッション）への参加を要求する第１の要求情報（参加要求情報）を、例えば、通信制御部１３を介して、管理システム５０に送信する。
【０１７４】
なお、第１の要求情報は、要求元の端末１０が管理システム５０に要求を通知するための情報であり、第１の要求情報の送信先が管理システム５０であることを示す送信先情報（例えば、管理システム５０のＩＰアドレス）が含まれている。
【０１７５】
ステップＳ１１１０において、端末１０の表示制御部１７は、例えば、図１３（ｄ）に示すような、会議準備画面（通信準備画面）１３０５を表示部１３０１に表示させる。
【０１７６】
図１３（ｄ）の例では、会議準備画面１３０５には、会議開始の準備中であることを示すメッセージ１３０５ａが表示されている。このように、端末１０は、管理システム５０に第１の要求情報（参加要求情報）を送信すると、例えば、利用者の確認なしに会議の準備を開始する。この会議準備画面１３０５は、例えば、要求先端末との間の通信セッションが確立するまでの間表示される。従って、端末１０は、例えば、直ちに通信セッションが確立された場合には、図１３（ｄ）に示す会議準備画面１３０５の表示を省略して、会議画面（通信画面）を表示部１３０１に表示するものであっても良い。
【０１７７】
ステップＳ１１１１に移行すると、端末１０の第１の送信部２０は、受付した宛先識別情報を用いた端末との会議（通信）の開始を要求する第１の要求情報（開始要求情報）を、例えば、通信制御部１３を介して、管理システム５０に送信する。第１の要求情報（開始要求情報）には、前述した第１の要求情報（参加要求情報）と同様に、第１の要求情報の送信先が管理システム５０であることを示す送信先情報が含まれている。
【０１７８】
ステップＳ１１１２において、端末１０の表示制御部１７は、例えば、図１４（ａ）に示すような、発信中であることを示すダイアログ（表示画面の一例）１４０１を表示部１３０１に表示させる。
【０１７９】
図１４（ａ）の例では、ダイアログ１４０１には、発信中であることを示すメッセージ１４０１ａ、受付した識別情報に対応する端末１０の情報１４０１ｂ等が含まれる。このダイアログ１４０１により、利用者は、要求先端末に発信中であること、及び要求先端末の情報（例えば端末名）等を判断することができる。
【０１８０】
続いて、図１１のステップＳ１１０５において、受付した識別情報が宛先リストに存在しないと判断された場合の処理について説明する。
【０１８１】
ステップＳ１１１３に移行すると、端末１０の受付部１９は、受付した識別情報が管理システム５０で利用可能であるか（例えば、管理システム５０に登録されているか）を判断する。例えば、受付部１９は、照会部２１を用いて、管理システム５０に受付した識別情報が管理システム５０で利用可能であるかを照会する。
【０１８２】
図１２は、第１の実施形態に係る照会処理の例を示すシーケンス図である。
【０１８３】
ステップＳ１２０１において、端末１０の照会部２１は、受付した識別情報が管理システム５０で利用可能であるかを照会する利用可否照会情報を、管理システム５０に送信する。
【０１８４】
ステップＳ１２０２において、管理システム５０の端末管理部５３は、端末管理ＤＢ５００３に記憶されている、例えば、図８（ａ）に示すような端末管理テーブル８０１に、対象となる識別情報が登録されているか否かを照合する。
【０１８５】
ステップＳ１２０３において、管理システム５０の端末管理部５３は、照会結果を端末１０に返信する。例えば、利用可否照会情報に含まれる識別情報が、端末管理テーブル８０１に登録されている場合、管理システム５０の端末管理部５３は、「利用可」の照会結果を端末１０に返信する。一方、利用可否照会情報に含まれる識別情報が、端末管理テーブル８０１に登録されていない場合、管理システム５０の端末管理部５３は、「利用不可」の照会結果を端末１０に返信する。
【０１８６】
図１１に戻り、第１の実施形態に係る端末の発信処理の説明を続ける。
【０１８７】
ステップＳ１１１３において、端末１０の受付部１９は、例えば、管理システム５０からの照会結果に基づいて、受付した識別情報が管理システム５０で利用可能であるか否かを判断する。
【０１８８】
受付した識別情報が管理システム５０で利用可能でないと判断された場合、端末１０の受付部１９は、処理をステップＳ１１１４に移行させる。一方、受付した識別情報が管理システム５０で利用可能であると判断された場合、端末１０の受付部１９は、処理をステップＳ１１１５に移行させる。
【０１８９】
ステップＳ１１１４に移行すると、端末１０の表示制御部１７は、例えば、図１４（ｂ）に示すような、受付した識別情報が利用できないことを示すダイアログ１４０２を表示部１３０１に表示させる。
【０１９０】
図１４（ｂ）の例では、ダイアログ１４０２には、識別情報が利用できないことを示すメッセージ１４０２ａ、及び識別情報の情報１４０２ｂ等が含まれる。このダイアログ１４２０により、利用者は、発信操作に用いた識別情報が受付リストに登録されていないこと、及び管理システム５０で利用できないこと等を判断することができるようになる。
【０１９１】
ステップＳ１１１５に移行すると、端末１０の第２の送信部２２は、受付した識別情報に対応する候補端末に通信の開始を要求する第２の要求情報を、例えば、通信制御部１３を介して、管理システム５０に送信する。
【０１９２】
なお、第２の要求情報は、端末１０が、管理システム５０を介して、宛先識別情報ではない識別情報を用いた端末に要求を通知するための情報であり、第２の要求情報の送信先が要求先識別情報ではない識別情報を用いた端末であることを示す送信先情報（例えば、要求先識別情報等）が含まれている。
【０１９３】
ステップＳ１１１６において、端末１０の表示制御部１７は、例えば、図１４（ｃ）に示すような、発信中であることを示すダイアログ（表示画面の一例）１４０３を表示部１３０１に表示させる。
【０１９４】
図１４（ｃ）の例では、ダイアログ１４０３には、発信中であることを示すメッセージ１４０３ａ、受付した識別情報の情報１４０３ｂ等が含まれる。このとき、端末１０は、要求先端末の端末名の情報を有していないので、要求先端末の端末名は表示されない。
【０１９５】
（第１の要求情報、及び第２の要求情報について）
ここで、第１の要求情報、及び第２の要求情報について、もう少し説明する。
【０１９６】
図１５は、第１の実施形態に係る端末が管理システム、及び他の端末に通知する情報の一例である。
【０１９７】
端末１０は、管理システム５０に要求を通知する場合、管理システムに通知する情報である第１の要求情報を、管理システム５０に送信する。第１の要求情報は、要求元の識別情報の宛先として管理されている宛先識別情報を用いた情報処理端末が通信の開始の要求先である場合に送信される要求情報である。この第１の要求情報には、第１の要求情報の送信先が管理システム５０であることを示す送信先情報、例えば、管理システムのＩＰアドレスが含まれる。また、この第１の要求情報には、情報内容として、例えば、要求元の識別情報、要求先の識別情報、及び要求内容（例えば、通信開始の要求、通信への参加要求、退出要求等）が含まれる。
【０１９８】
一方、端末１０は、要求先端末に要求を通知する場合、端末に通知する情報である第２の要求情報を、管理システム５０を介して要求先端末に通知する。第２の要求情報は、要求元の識別情報の宛先として管理されていない識別情報を用いた情報処理端末が通信の開始の要求先である場合に送信される要求情報である。この第２の要求情報には、第２の要求情報の送信先が要求先端末であることを示す送信先情報、例えば、要求先端末の識別情報が含まれる。また、この第２の要求情報には、情報内容として、例えば、要求元の識別情報、要求先の識別情報、及び要求内容（例えば、通信開始の要求、通信への参加要求、退出要求等）が含まれる。
【０１９９】
管理システム５０は、端末１０から要求情報を受信すると、要求情報の送信先情報により、管理システム５０に要求を通知する第１の要求情報であるか、端末１０に要求を通知する第２の要求情報であるかを判断することができる。
【０２００】
（管理システムの要求情報の受信処理）
図１６は、第１の実施形態に係る管理システムの要求情報の受信処理の例を示すフローチャートである。
【０２０１】
ステップＳ１６０１において、管理システム５０は、要求元の端末１０から要求情報（第１の要求情報、又は第２の要求情報）を受信すると、ステップＳ１６０２以降の処理を実行する。
【０２０２】
ステップＳ１６０２において、管理システム５０は、ステップＳ１６０１で受信した要求情報の送信先情報が識別情報であるか否かを判断する。
【０２０３】
要求情報の送信先情報が識別情報である場合、管理システム５０は、処理をステップＳ１６０３に移行させる。一方、要求情報の送信先情報が識別情報でない場合、管理システム５０は、処理をステップＳ１６０７に移行させる。
【０２０４】
ステップＳ１６０３に移行すると、管理システム５０は、要求先の端末１０がオンラインであるかを判断する。例えば、管理システム５０は、図８（ａ）に示すような端末管理テーブル８０１を参照して、要求先の端末１０が「オンライン（通信中）」、又は「オンライン（通信可能）」状態である場合、宛先の端末１０がオンラインであると判断する。
【０２０５】
要求先の端末１０がオンラインでないと判断された場合、管理システム５０は、処理をステップＳ１６０４に移行させる。一方、宛先の端末１０がオンラインであると判断された場合、管理システム５０は、処理をステップＳ１６０５に移行させる。
【０２０６】
ステップＳ１６０４に移行すると、管理システム５０は、要求元の端末１０に、要求先の端末がオフラインであることを通知する。
【０２０７】
一方、ステップＳ１６０５に移行すると、管理システム５０は、例えば、図８（ａ）に示すような端末管理テーブル８０１から、要求先の端末１０の識別情報に対応する、端末１０のＩＰアドレスを取得する。
【０２０８】
ステップＳ１６０６において、管理システム５０は、取得した要求先の端末１０のＩＰアドレスに、ステップＳ１６０１で受信した要求情報（第２の要求情報）を転送する。
【０２０９】
続いて、ステップＳ１６０２において、送信先情報が識別情報ではないと判断された場合の処理について説明する。
【０２１０】
ステップＳ１６０７に移行すると、管理システム５０は、ステップＳ１６０１で受信した要求情報の送信先情報が管理システム５０のＩＰアドレスであるか否かを判断する。
【０２１１】
要求情報の送信先情報が管理システム５０のＩＰアドレスでない場合、管理システム５０は、処理を終了させる。この場合、管理システム５０は、例えば、受信した要求情報を破棄する。一方、要求情報の宛先情報が管理システム５０のＩＰアドレスである場合、管理システム５０は、処理をステップＳ１６０８に移行させる。
【０２１２】
ステップＳ１６０８に移行すると、管理システム５０は、要求情報に含まれる情報内容を取得し、ステップＳ１６０９において、管理システム５０は、取得した情報内容に従って、所定の処理を実行する。例えば、受信した要求情報が、第１の要求情報（通信開始要求）である場合、管理システム５０のセッション管理部５７は、通信処理を開始させる。
【０２１３】
（通信処理）
続いて、第１の実施形態に係る通信処理の例について説明する。
【０２１４】
図１７〜１９は、第１の実施形態に係る通信処理の例を示すシーケンス図である。このうち、図１７に示す処理は、端末１０ａａが、例えば、図１３（ａ）に示すような識別情報による発信画面１３０２を表示させて、識別情報による発信操作を受付し、受付した識別情報が宛先リストに含まれている場合の処理の一例を示している。
なお、図１７に示す処理において、例えば、図２に示されている管理情報用セッションｓｅｉによって、各端末１０と管理システム５０との間で各種管理情報が送受信されるものとする。
【０２１５】
ステップＳ１７０１において、端末１０ａａの受付部１９は、例えば、図１３（ａ）に示すような識別情報による発信画面１３０２による利用者の発信操作を受付する。なお、ここでは、受付した要求先端末の識別情報が宛先リストに存在しており、要求先端末が「通信可能」状態であるものとする。
【０２１６】
ステップＳ１７０２において、端末１０ａａは、例えば、図１１に示す端末の発信処理を実行する。
【０２１７】
ステップＳ１７０３において、受付した要求先端末の識別情報が宛先リストに存在しており、要求先端末が「通信可能」状態であるので、端末１０ａａの第１の送信部２０は、管理システム５０に開始要求情報（第１の要求情報）を送信する。この開始要求情報は、図１５の「管理システムに通知する情報」に示されるように、送信先情報として管理システム５０のＩＰアドレスを含み、情報内容として要求元の識別情報及び要求先の識別情報等を含む。
【０２１８】
ステップＳ１７０４において、端末１０ａａから開始要求情報（第１の要求情報）を受信した管理システム５０の端末管理部５３は、開始要求情報に含まれる要求元識別情報に基づいて、端末管理ＤＢ５００３に含まれる端末管理テーブル８０１を更新する。例えば、端末管理部５３は、端末１０ａａの識別情報「０１ａａ」に対応する稼動状態の情報を「オンライン（通信中）」に変更し、受信日時の情報を更新する。
【０２１９】
ステップＳ１７０５において、管理システム５０のセッション管理部５７は、要求先端末である端末１０ｄｂにセッションの開始を要求する開始要求情報を送信する。この開始要求情報には、例えば、要求元端末である端末１０ａａの要求元識別情報等が含まれる。
【０２２０】
ステップＳ１７０６において、管理システム５０から開始要求情報を受信した端末１０ｄｂは、例えば、端末１０ｄｂの利用者による応答操作等に応じて、管理システム５０に受信完了情報を送信する。この受信完了情報には、例えば、端末１０ｄｂの識別情報である要求先識別情報が含まれる。なお、受信完了情報は、端末１０ｄｂによって自動的に送信されるもの等であっても良い。
【０２２１】
ステップＳ１７０７において、端末１０ｄｂから受信完了情報を受信した管理システム５０の端末管理部５３は、受信完了情報に含まれる端末１０ｄｂの識別情報に基づいて、端末管理ＤＢ５００３に含まれる端末管理テーブル８０１を更新する。例えば、端末管理部５３は、端末１０ｄｂの識別情報「０１ｄｂ」に対応する稼動状態の情報を「オンライン（通信中）」に変更し、受信日時の情報を更新する。
【０２２２】
ステップＳ１７０８において、管理システム５０のセッション管理部５７は、通信セッションを識別するための識別情報であるセッションＩＤを作成する。また、セッション管理部５７は、作成されたセッションＩＤに対応付けて、中継装置３０の中継装置ＩＤ、要求元識別情報、及び要求先識別情報を、セッション管理ＤＢ５００５に含まれるセッション管理テーブル８０２に記憶する。
【０２２３】
ステップＳ１７０９おいて、管理システム５０のセッション管理部５７は、中継装置３０に、通信セッションの中継の開始を要求する中継開始要求情報を送信する。この中継開始要求情報には、例えば、ステップＳ１１０７で作成されたセッションＩＤ、及び要求元端末のＩＰアドレス、要求先端末のＩＰアドレス等が含まれる。
【０２２４】
ステップＳ１７１０ａ、Ｓ１７１０ｂにおいて、管理システム５０のセッション管理部５７は、端末１０ａａ、１０ｄｂにセッションの開始を指示する開始指示情報を送信する。この開始指示情報には、例えば、ステップＳ１７０８で作成されたセッションＩＤ、及び中継装置３０のＩＰアドレス等が含まれる。
【０２２５】
ステップＳ１７１１ａにおいて、端末１０ａａの通信制御部１３は、管理システム５０から受信した開始指示情報を用いて、中継装置３０と通信セッション（セッションｓｅｄ）を確立する。同様に、ステップＳ１７１１ｂにおいて、端末１０ｄｂの通信制御部１３は、管理システム５０から受信した開始指示情報を用いて、中継装置３０と通信セッションを確立する。
【０２２６】
上記の処理により、ステップＳ１７１２において、端末１０ａａ、１０ｄｂは、中継装置３０を介して、同じ通信セッションに参加して、コンテンツデータを互いに伝送することができるようになり、例えば、テレビ会議等を行うことができるようになる。
【０２２７】
ステップＳ１７１３ａ、Ｓ１７１３ｂにおいて、管理システム５０の端末管理部５３は、端末１０の状態が変更されたことを通知する端末状態変更情報を、端末管理ＤＢ５００３に登録されている各端末１０に送信する。図１０の例では、端末状態変更情報には、端末状態が変更された端末１０ａａ、１０ｄｂの識別情報、及び端末１０ａａ、１０ｄｂの稼動状態を示す状態情報等が含まれる。
【０２２８】
次に、図１８、１９に示す処理は、端末１０ａａが、例えば、図１３（ａ）に示すような識別情報による発信画面１３０２を表示させて、識別情報による発信操作を受付し、受付した識別情報が宛先リストに含まれていない場合の通信処理の一例を示している。なお、図１８、１９の説明の中で、「要求元識別情報」は、発信を行う端末１０ａａの識別情報「０１ａａ」を示し、「要求先識別情報」は、要求先となる端末１０ｄｂの識別情報「０１ｄｂ」を示すものとする。
【０２２９】
ステップＳ１８０１において、端末１０ａａの受付部１９は、例えば、図１３（ａ）に示すような識別情報による発信画面１３０２による利用者の発信操作を受付する。なお、ここでは、受付した要求先端末の識別情報が、管理システム５０で利用可能であり、端末１０ａａの宛先リストに存在していないものとする。
【０２３０】
ステップＳ１８０２において、端末１０ａａは、例えば、図１１に示す端末の発信処理を実行する。
【０２３１】
ステップＳ１８０３において、受付した要求先端末の識別情報が、管理システム５０で利用可能であり、端末１０ａａの宛先リストに存在していないので、端末１０ａａの第２の送信部２２は、管理システム５０に開始要求情報（第２の要求情報）を送信する。この開始要求情報は、図１５の「端末に通知する情報」に示されるように、送信先情報として要求先の識別情報を含み、情報内容として要求元の識別情報及び要求先の識別情報等を含む。
【０２３２】
好ましくは、この開始要求情報（第２の要求情報）には、要求元端末（端末１０ａａ）の端末名の情報が含まれる。
【０２３３】
ステップＳ１８０４において、端末１０ａａから開始要求情報（第２の要求情報）を受信した管理システム５０の情報送信部５８は、例えば、図１６に示す要求情報の受信処理に従って、会議開始要求（第２の要求情報）を要求先端末（端末１０ｄｂ）に送信する。
【０２３４】
ステップＳ１８０５において、端末１０ｄｂの第２の送信部２２は、管理システム５０から開始要求情報（第２の要求情報）を受信すると、例えば、自動的に受信完了情報を管理システム５０に返信する。なお、この受信完了情報の送信先情報には、開始要求情報（第２の要求情報）の要求元である要求元端末（端末１０ａａ）の識別情報が設定される。
【０２３５】
ステップＳ１８０６において、端末１０ｄｂから受信完了情報を受信した管理システム５０の情報送信部５８は、例えば、図１６に示す要求情報の受信処理に従って、受信完了情報を端末１０ａａに送信する。
【０２３６】
ステップＳ１８０７において、端末１０ｄｂの表示制御部１７は、例えば、図１４（ｄ）に示すような着信中であることを示すダイアログ（表示画面の一例）１４０４を、表示部１３０１に表示させる。
【０２３７】
図１４（ｄ）の例では、ダイアログ１４０４には、着信中であることを示すメッセージ１４０４ａ、発信元の端末１０の情報１４０４ｂ、「応答」ボタン１４０４ｃ、及び「拒否」ボタン１４０４ｄ等が含まれている。
【０２３８】
好ましくは、端末１０ｄｂの表示制御部１７は、ステップＳ１８０４で受信した開始要求情報（第２の要求情報）に含まれる要求元端末名の情報を用いて、発信元の端末１０の情報１４０４ｂに端末名を表示させる。
【０２３９】
端末１０ｄｂの利用者は、例えば、図１４（ｄ）に示すようなダイアログ１４０４の「応答」ボタン１４０４ｃを選択することにより、発信元の端末１０ａａからの着信に応答することができる。また、端末１０ｄｂの利用者は、図１４（ｄ）に示すダイアログ１４０４の「拒否」ボタン１４０４ｄを選択することにより、発信元の端末１０ａａからの着信を拒否することができる。
【０２４０】
ステップＳ１８０８において、端末１０ｄｂの操作入力受付部１２は、図１４（ｄ）に示すダイアログ１４０４に対する利用者の応答操作を受付するものとする。
【０２４１】
ステップＳ１８０９において、端末１０ｄｂの第１の送信部２０は、通信の開始を要求する会議開始要求情報を、管理システム５０に送信する。この会議開始要求情報には、送信先情報として管理システム５０のＩＰアドレスが含まれており、情報内容として端末１０ｄｂの識別情報等が含まれている。
【０２４２】
ステップＳ１８１０において、管理システム５０の端末管理部５３は、端末１０ｄｂから受信した会議開始要求情報に含まれる要求元識別情報等に基づいて、端末管理ＤＢ５００３に含まれる端末管理テーブル８０１を更新する。例えば、端末管理部５３は、端末１０ｄｂの識別情報「０１ｄｂ」に対応する稼動状態の情報を「オンライン（通信中）」に変更し、受信日時の情報を更新する。
【０２４３】
ステップＳ１８１１において、管理システム５０のセッション管理部５７は、通信セッションを識別するための識別情報であるセッションＩＤを作成する。また、セッション管理部５７は、作成されたセッションＩＤに対応付けて、中継装置３０の中継装置ＩＤ、要求元識別情報等をセッション管理ＤＢ５００５に含まれるセッション管理テーブル８０２に記憶する。
【０２４４】
ステップＳ１８１２において、管理システム５０のセッション管理部５７は、中継装置３０に、通信セッションの中継の開始を要求する中継開始要求情報を送信する。この中継開始要求情報には、例えば、ステップＳ１８１１で作成されたセッションＩＤ、及び端末１０ｄｂのＩＰアドレス等が含まれる。
【０２４５】
ステップＳ１８１３において、管理システム５０のセッション管理部５７は、端末１０ｄｂにセッションの開始を指示する開始指示情報を送信する。この開始指示情報には、例えば、ステップＳ１８１１で作成されたセッションＩＤ、及び中継装置３０のＩＰアドレス等が含まれる。
【０２４６】
ステップＳ１８１４において、端末１０ｄｂの通信制御部１３は、管理システム５０から受信した開始指示情報を用いて、中継装置３０と通信セッションを確立する。
【０２４７】
ステップＳ１８１５において、端末１０ｄｂの第２の送信部２２は、会議の準備ができたことを通知する会議準備完了情報を、管理システム５０を介して端末１０ａａに送信する。この会議準備完了情報には、送信先情報として端末１０ａａの識別情報が含まれ、情報内容として要求元識別情報、要求先識別情報、及びセッションＩＤ等の情報が含まれる。
【０２４８】
ステップＳ１８１６において、管理システム５０の情報送信部５８は、例えば、図１６に示す要求情報の受信処理に従って、会議準備完了情報を端末１０ａａに転送する。
【０２４９】
図１９のステップＳ１８１７において、端末１０ａａの第１の送信部２０は、会議準備完了情報を受信すると、会議への参加を要求する参加要求情報（第１の要求情報）を、管理システム５０に送信する。この参加要求情報には、送信先情報として管理システム５０のＩＰアドレスが含まれ、情報内容として要求元識別情報、セッションＩＤ等の情報が含まれる。
【０２５０】
ステップＳ１８１８において、端末１０ａａから参加要求情報（第１の要求情報）を受信した管理システム５０の端末管理部５３は、参加要求情報に含まれる要求元識別情報に基づいて、端末管理ＤＢ５００３に含まれる端末管理テーブル８０１を更新する。
【０２５１】
ステップＳ１８１８において、管理システム５０のセッション管理部５７は、セッション管理ＤＢ５００５に含まれるセッション管理テーブル８０２に、セッションＩＤと対応付けて端末１０ａａの識別情報を記憶する。
【０２５２】
ステップＳ１８２０において、管理システム５０のセッション管理部５７は、中継装置３０に、会議への端末１０ａａの参加を要求する中継参加要求を送信する。この中継参加要求には、例えば、セッションＩＤ、及び端末１０ａａのＩＰアドレス等が含まれる。
【０２５３】
ステップＳ１８２１において、管理システム５０のセッション管理部５７は、端末１０ａａに会議への参加を指示する参加指示情報を送信する。この参加指示情報には、例えば、中継装置３０のＩＰアドレス、セッションＩＤ等が含まれる。
【０２５４】
ステップＳ１８２２において、端末１０ａａの通信制御部１３は、管理システム５０から受信した参加指示情報を用いて、中継装置３０と通信セッションを確立する。
【０２５５】
上記の処理により、ステップＳ１８２３において、端末１０ａａ、１０ｄｂは、中継装置３０を介して、同じ通信セッションに参加して、コンテンツデータを互いに伝送することができるようになり、例えば、テレビ会議等を行うことができるようになる。
【０２５６】
以上、本実施形態よれば、宛先リストを用いて通信先の端末と通信を開始する伝送システム１において、端末１０の宛先リストに要求先端末が登録されていない場合でも、宛先リストに要求先端末が登録されている場合と同様に通信を開始することができるようになる。
【０２５７】
これにより、管理システム５０は、端末１０から、識別情報を用いて発信が行われた場合でも、宛先リストから発信が行われたときと同様に、端末管理ＤＢ５００３、セッション管理ＤＢ５００５等を用いて、通信を管理することができるようになる。
【０２５８】
［第２の実施形態］
第１の実施形態では、図１１のステップＳ１１１３において、端末１０は、受付した識別情報が管理システム５０で利用可能であるか否かを、例えば、照会部２１を用いて、管理システム５０に照会していた。
【０２５９】
第２の実施形態では、端末１０が、宛先リストに受付した要求先端末の識別情報が含まれない場合、管理システム５０に照会を行わずに、第２の要求情報を送信する場合の処理の例について説明する。
【０２６０】
（端末の発信処理）
図２０は、第２の実施形態に係る端末の発信処理の例を示すフローチャートである。なお、図２０のステップＳ１１０１〜Ｓ１１１２の処理は、図１１に示す第１の実施形態に係る端末の発信処理と同様なので、ここでは、第１の実施形態との相違点を中心に説明を行う。
【０２６１】
第２の実施形態では、ステップＳ１１０５で受付した識別情報が宛先リストに含まれないと判断された場合、ステップＳ２００１〜Ｓ２００４の処理を実行する。
【０２６２】
ステップＳ２００１において、端末１０の第２の送信部２２は、受付した識別情報に対応する要求先端末に会議の開始を要求する開始要求情報（第２の要求情報）を、管理システム５０に送信する。
【０２６３】
ステップＳ２００２において、端末１０は、所定の時間内に管理システム５０から要求先端末の識別情報が利用不可であることを示す通知を受信したか否かによって、処理を分岐させる。
【０２６４】
管理システム５０から要求先端末の識別情報が利用できないことを示す通知を受信しなかった場合、ステップＳ２００３において、端末１０の表示制御部１７は、図１４（ｃ）に示すような発信中であることを示すダイアログ１４０３を表示部１３０１に表示させる。
【０２６５】
一方、管理システム５０から要求先端末の識別情報が利用できないことを示す通知を受信した場合、ステップＳ２００４において、端末１０の表示制御部１７は、例えば、図１４（ｂ）に示すような、ダイアログ１４０２を表示部１３０１に表示させる。
【０２６６】
（管理システムの要求情報の受信処理）
図２１は、第２の実施形態に係る管理システムの要求情報の受信処理の例を示す図である。なお、図２１のステップＳ１６０１〜Ｓ１６０９の処理は、図１６に示す第１の実施形態に係る要求情報の受信処理と同様なので、ここでは第１の実施形態との相違点を中心に説明を行う。
【０２６７】
第２の実施形態に係る管理システム５０は、ステップＳ１６０２で、端末１０から受信した要求情報の送信先情報が識別情報である場合、すなわち、第２の要求情報である場合、ステップＳ２１０１の処理を実行する。
【０２６８】
ステップＳ２１０１において、管理システム５０は、送信先情報の識別情報が、管理システムに登録されているか（利用可能であるか）を判断する。例えば、管理システム５０は、図８に示すような端末管理テーブル８０１に、送信先情報の識別情報が含まれているとき、送信先情報の識別情報が管理システムに登録されていると判断する。
【０２６９】
送信先情報の識別情報が管理システムに登録されていると判断された場合、管理システム５０は、第１の実施形態と同様に、ステップＳ１６０３以降の処理を実行する。一方、送信先情報の識別情報が管理システムに登録されていないと判断された場合、管理システム５０は、ステップＳ２１０２に処理を移行させる。
【０２７０】
ステップＳ２１０２に移行すると、管理システム５０は、要求情報の要求元の要求元端末に、要求情報に含まれる送信先情報の識別情報が利用できないことを通知する。
【０２７１】
このように、端末１０は、識別情報による発信画面１３０２で受付した識別情報が、管理システム５０で利用可能であるかの判断を行わずに、第２の要求情報を管理システム５０に送信するものであっても良い。これにより、識別情報による発信画面１３０２で受付した識別情報が、管理システム５０に登録されている場合の端末１０の処理を低減させることができる。
【０２７２】
［第３の実施形態］
第３の実施形態では、上記の各実施形態における宛先リストの表示方法の一例について説明する。
【０２７３】
図２２は、第３の実施形態に係る端末の発信処理の例を示すフローチャートである。なお、図２２のステップＳ１１０１〜Ｓ１１１２の処理は、図１１に示す第１の実施形態に係る端末の発信処理と同様であり、ステップＳ２００１〜Ｓ２００４の処理は、図２０に示す第２の実施形態に係る端末の発信処理と同様である。従って、ここでは、第１の実施形態、及び第２の実施形態との相違点を中心に説明を行う。
【０２７４】
第３の実施形態に係る端末１０は、ステップＳ１１０３において、受付した識別情報が自端末の識別情報でないと判断された場合、受付した識別情報を、例えば、図２３に示すように、一時的に宛先リストに追加する。
【０２７５】
図２３は、第３の実施形態に係る宛先リストの例を示す図である。図２３の例では、表示部１０００に表示された宛先リスト１００１には、図１０に示す宛先リスト１００１に対して、識別情報による発信画面１３０２で受付した識別情報を選択するための選択ボタン２３０１が追加されている。この発信画面１３０２で受付した識別情報を選択するための選択ボタン２３０１は、例えば、端末１０の電源がオフされるまで、宛先リスト１００１に表示される。この選択ボタン２３０１により、利用者は、例えば、意図せずに通信が切断され、会議から退出してしまった場合でも、同じ会議に容易に再接続することができるようになる。
【０２７６】
なお、図２３に示す宛先リスト１００１において、発信画面１３０２で受付した識別情報を選択するための選択ボタン２３０１が選択された場合の処理は、識別情報による発信画面１３０２で発信操作を受付したときの処理と同様で良い。
【０２７７】
［第４の実施形態］
第１〜３の実施形態では、発信元の端末１０（以下、要求元端末と呼ぶ）から、要求先の端末１０（以下、要求先端末と呼ぶ）に対して発信を行ったときに、要求先端末が他の端末１０と会議中である場合、要求先端末のみに着信画面が表示される。従って、要求元端末の会議への参加を許可するか、拒否するかの選択は要求先端末のみが可能であり、会議に参加している他の端末１０（以下、参加端末と呼ぶ）では、要求元端末の会議への参加を許可するか、拒否するかを選択することはできないという問題がある。
【０２７８】
第４の実施形態では、要求元端末から要求先端末に対して発信を行ったときに、要求先端末が会議中である場合、要求先端末に加えて参加端末からでも、要求元端末の会議への参加を許可するか、拒否するかを選択することができるようにする例について説明する。
【０２７９】
（端末の発信処理）
図２４は、第４の実施形態に係る端末の発信処理の例を示すフローチャートである。なお、図２４のステップＳ１１０１〜Ｓ１１０９、及びＳ１１１０〜Ｓ１１１６の処理は、図１１に示す第１の実施形態に係る端末の発信処理と同様なので、ここでは、第１の実施形態との相違点を中心に説明を行う。
【０２８０】
図２４のステップＳ１１０８において、要求元端末の第１の送信部２０は、要求先端末が会議中である場合、ステップＳ１１０９において、会議への参加を要求する第１の要求情報を管理システム５０に送信する。
【０２８１】
このとき、本実施形態では、要求先端末、及び要求先端末と同じ会議に参加している参加端末には、要求元端末の会議への参加を許可するか、拒否するかを選択する表示画面が表示される。
【０２８２】
ステップＳ２４０１において、要求元端末の表示制御部１７は、要求先端末、及び要求先端末と同じ会議に参加している参加端末によって、要求元端末の会議への参加が許可されたか否かに応じて処理を分岐させる。
【０２８３】
要求元端末の会議への参加が許可された場合、表示制御部１７は、処理をステップＳ１１１０に移行させて、例えば、図１３（ｄ）に示すような、会議準備画面（通信準備画面）１３０５を、ディスプレイ１２０等の表示部１３０１に表示させる。
【０２８４】
一方、要求元端末の会議への参加が許可されない場合、表示制御部１７は、処理をステップＳ２４０２に移行させて、要求元端末の会議への参加が許可されなかったことを示す参加拒否のダイアログを表示部１３０１に表示させる。
【０２８５】
（管理システムの要求情報の受信処理）
図２５は、第４の実施形態に係る管理システムの要求情報の受信処理の例を示すフローチャートである。なお、図２５のステップＳ１６０１〜Ｓ１６０４、及びＳ１６０７〜Ｓ１６０９の処理は、図１６に示す第１の実施形態に係る要求情報の受信処理と同様なので、ここでは、第１の実施形態との相違点を中心に説明を行う。
【０２８６】
図２５のステップＳ１６０３において、要求先端末がオンラインであると判断されると、ステップＳ２５０１において、管理システム５０は、送信先情報に基づいて、要求先端末が参加している会議のセッションＩＤを取得する。例えば、図８（ｂ）に示すようなセッション管理テーブル８０２を用いて、要求先端末の識別情報に対応するセッションＩＤを取得する。これにより、管理システム５０は、要求先端末が参加している会議を特定することができる。
【０２８７】
ステップＳ２５０２において、管理システム５０は、要求先端末と同じ会議に参加している端末１０の情報を取得する。例えば、図８（ｂ）に示すようなセッション管理テーブル８０２を用いて、ステップＳ１５０１で取得したセッションＩＤに対応付けて記憶されている端末１０（要求先端末、及び参加端末）の識別情報を取得する。これにより、管理システム５０は、要求先端末が参加している会議に参加している端末１０を特定することができる。
【０２８８】
ステップＳ２５０３において、管理システム５０の情報送信部５８は、要求先端末と同じ会議に参加している端末１０（要求先端末、及び参加端末）に、要求元端末から受信した要求情報（会議への参加要求）を通知する。
【０２８９】
上記の処理により、管理システム５０は、要求元端末から要求先端末への会議の参加要求を受付すると、会議に参加している要求先端末、及び参加端末に、要求元端末から会議の参加要求を受付したことを通知する。
【０２９０】
（通信処理の例）
図２６は、第４の実施形態に係る通信処理の例を示すシーケンス図である。この処理は、要求元端末である端末１０ａａが、要求先端末である端末１０ｄｂに対して発信したときに、端末１０ｄｂが、参加端末である端末１０ｄｃと会議中である場合の通信処理の例を示している。
【０２９１】
ステップＳ２６０１において、端末１０ｄｂと端末１０ｄｃは、中継装置３０を介して会議中であるものとする。
【０２９２】
ステップＳ２６０２において、発信元端末である端末１０ａａの受付部１９は、例えば、図１３（ａ）に示すような識別情報による発信画面１３０２による利用者の発信操作を受付する。
【０２９３】
ステップＳ２６０３において、端末１０ａａは、例えば、図２４のステップＳ１１０３〜Ｓ１１０８に示すような端末１０の発信処理を実行する。
【０２９４】
ステップＳ２６０４において、要求先端末である端末１０ｄｂは会議中なので、端末１０ａａの第１の送信部２０は、管理システム５０に会議への参加を要求する参加要求情報（第１の要求情報）を送信する。この参加要求情報は、送信先情報として管理システム５０のＩＰアドレスを含み、情報内容として要求元端末の識別情報である要求元識別情報、及び要求先端末の識別情報である要求先識別情報等を含む。
【０２９５】
ステップＳ２６０５において、管理システム５０は、要求先端末が参加している会議のセッションＩＤを取得する。なお、この処理は、図２５のステップＳ１５０１の処理に対応している。
【０２９６】
ステップＳ２６０６において、管理システム５０は、ステップＳ２６０５で取得したセッションＩＤと、図８（ｂ）に示すようなセッション管理テーブル８０２とを用いて、会議に参加している端末１０の情報を取得する。なお、この処理は、図２５のステップＳ２５０２の処理に対応している。
【０２９７】
ステップＳ２６０７ａ、Ｓ２６０７ｂにおいて、管理システム５０の情報送信部５８は、会議に参加している端末１０ｄｂ、１０ｄｃに対して、端末１０ａａからの参加要求情報を通知する。このとき、会議に参加している端末１０ｄｂ、１０ｄｃに通知される参加要求情報には、少なくとも端末１０ａａの識別情報である要求元識別情報が含まれる。なお、この処理は、図２５のステップＳ２５０３の処理に対応している。
【０２９８】
ステップＳ２６０８ａ、Ｓ２６０８ｂにおいて、管理システム５０から参加要求情報を受付した端末１０ｄｂ、１０ｄｃの表示制御部１７は、例えば、図２７（ａ）に示すような参加要求画面２７０１を、ディスプレイ１２０等の表示部１３０１に表示させる。
【０２９９】
図２７（ａ）の例では、参加要求画面２７０１には、要求元端末の情報（例えば、端末名、識別情報等）２７０１ａ、要求元端末の会議への参加を、許可するための「許可」ボタン２７０１ｂ、拒否するための「拒否」ボタン２７０１ｃ等が表示されている。
【０３００】
ステップＳ２６０９ａ、Ｓ２６０９ｂにおいて、端末１０の通信制御部１３は、参加要求画面２７０１において、操作入力受付部１２が受付した許可、又は拒否を示す情報を含む受信完了情報を、管理システム５０に通知する。
【０３０１】
ステップＳ２６１０において、管理システム５０のセッション管理部５７は、会議に参加している端末１０ｄｂ、１０ｄｃから受信した受信完了情報に含まれる許可、又は拒否を示す情報に基づいて、端末１０ａａの会議への参加可否を判断する。例えば、管理システム５０のセッション管理部５７は、会議に参加している複数の端末１０のうち、少なくとも１つの端末１０から許可を示す情報を受付した場合、端末１０ａａの会議への参加を許可する。
【０３０２】
また、別の一例として、管理システム５０のセッション管理部５７は、会議に参加している複数の端末１０のうち、所定の数（例えば２つ）以上の端末１０から許可を示す情報を受付した場合、端末１０ａａの会議への参加を許可するもの等であっても良い。さらに、管理システム５０のセッション管理部５７は、会議に参加している複数の端末１０のうち、少なくとも１つの端末１０から拒否を示す情報を受付した場合、端末１０ａａの会議への参加を拒否するもの等であっても良い。
【０３０３】
ここでは、管理システム５０のセッション管理部５７が、会議に参加している端末１０ｄｂ、又は端末１０ｄｃから、許可を示す情報を含む受信完了情報を受信し、端末１０ａａの会議への参加を許可するものとして、以下の説明を行う。
【０３０４】
ステップＳ２６１１において、管理システム５０のセッション管理部５７は、会議への参加を許可する情報を含む受信完了情報を、要求元端末である端末１０ａａに送信する。
【０３０５】
ステップＳ１６１２において、端末１０ａａの表示制御部１７は、例えば、図１３（ｄ）に示すような会議準備中画面を、ディスプレイ１２０等の表示部１３０１に表示させる。なお、この処理は、例えば、図２４のステップＳ１１１０の処理に対応している。
【０３０６】
なお、端末１０ａａの表示制御部１７は、ステップＳ２６１１において、管理システム５０から、会議への参加を許可しない（拒否する）ことを示す情報を含む受信完了情報を受信した場合、図２７（ｂ）に示すような参加拒否のダイアログ２７０２を表示させる。この参加拒否のダイアログ２７０２を表示させる処理は、例えば、図２４のステップＳ２４０２の処理に対応している。
【０３０７】
ステップＳ２６１３において、管理システム５０のセッション管理部５７は、中継装置３０に、端末１０ａａの識別情報である要求元識別情報と、会議の識別情報であるセッションＩＤとを含む中継参加要求情報を送信する。
【０３０８】
ステップＳ２６１４において、管理システム５０のセッション管理部５７は、要求元端末である端末１０ａａに、セッションへの参加を指示する参加指示情報を送信する。この参加指示情報には、例えば、中継装置３０のＩＰアドレスや、要求先端末である１０ｄｂが参加している会議のセッションＩＤが含まれる。
【０３０９】
ステップＳ１６１５において、端末１０ａａと中継装置３０との間で通信セッションが確立され、中継装置３０は、端末１０ａａを端末１０ｄｂ、１０ｄｃが参加する会議（セッション）に参加させる。
【０３１０】
これにより、ステップＳ１６１６において、端末１０ａａ、端末１０ｄｂ、及び端末１０ｄｃは、中継装置３０を介して会議を行うことができるようになる。
【０３１１】
このように、本実施形態によれば、要求元端末から要求先端末に対して発信を行ったときに、要求先端末が会議中である場合、要求先端末に加えて参加端末でも、要求元端末の会議への参加を許可するか、拒否するかを選択することができるようになる。
【０３１２】
なお、図２６に示す処理は一例である。例えば、図２６にステップＳ２６０１において、会議に参加している端末１０の数は、２台以上の他の数であっても良い。この場合、本実施形態では、例えば、ステップＳ２６０８ａ、Ｓ２６０８ｂにおいて、会議に参加している各端末１０に、参加要求画面が表示される。
【０３１３】
また、図２６のステップＳ２６０９ａ、Ｓ２６０９ｂにおいて、会議に参加している各端末１０から、許可、又は拒否を示す受信完了情報が送信されているが、許可、又は拒否を示す受信完了情報は、少なくとも１つの端末１０から送信されるものであっても良い。
【０３１４】
以上、本発明の各実施形態によれば、宛先リストを用いて通信を開始する伝送システム（通信システム）１において、宛先リストに登録されていない端末１０に、宛先リストに登録されている端末１０と同様に発信を行うことをできるようになる。
【０３１５】
なお、上記の端末（情報処理端末）１０、伝送システム１、管理システム５０、情報処理方法、及びプログラムは、上記の各実施形態そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。
【符号の説明】
【０３１６】
１        伝送システム（通信システム）
２        伝送ネットワーク（ネットワーク）
１０      端末（伝送端末、情報処理端末）
１１      送受信部（受信部の一例）
１８      作成部
１９      受付部
２０      第１の送信部
２１      照会部
２２      第２の送信部
５０      管理システム（伝送管理システム）
５３      端末管理部
５６      宛先リスト管理部
５８      情報送信部
【先行技術文献】
【特許文献】
【０３１７】
【特許文献１】特開２０１５−０２９２５２号公報
【図１】
2018152835.tif 000003
【図２】
2018152835.tif 000004
【図３】
2018152835.tif 000005
【図４】
2018152835.tif 000006
【図５】
2018152835.tif 000007
【図６】
2018152835.tif 000008
【図７】
2018152835.tif 000009
【図８】
2018152835.tif 000010
【図９】
2018152835.tif 000011
【図１０】
2018152835.tif 000012
【図１１】
2018152835.tif 000013
【図１２】
2018152835.tif 000014
【図１３】
2018152835.tif 000015
【図１４】
2018152835.tif 000016
【図１５】
2018152835.tif 000017
【図１６】
2018152835.tif 000018
【図１７】
2018152835.tif 000019
【図１８】
2018152835.tif 000020
【図１９】
2018152835.tif 000021
【図２０】
2018152835.tif 000022
【図２１】
2018152835.tif 000023
【図２２】
2018152835.tif 000024
【図２３】
2018152835.tif 000025
【図２４】
2018152835.tif 000026
【図２５】
2018152835.tif 000027
【図２６】
2018152835.tif 000028
【図２７】
2018152835.tif 000029